(57)【要約】      （修正有）【課題】握り部が形成された杖や傘において、使用時に使用者の杖や傘の把持感を損ねることがなく、一方、不使用時にそれらを壁等へ立て掛けるのを可能にする滑り止めおよびそれを備えた歩行用杖および傘を提供する。【解決手段】長手方向に延びる長手軸体と、この長手軸体の一端部に形成され長手軸体が延びる方向とは異なる方向に延びる握り部を有する杖または傘に用いる滑り止め３０、４０である。滑り止め３０、４０は、柔軟性の有底または無底の筒状に形成された弾性材料製である。滑り止め３０、４０の外周に少なくとも１個の空気抜き用の貫通穴５０を設ける。さらにその一方の軸端側であって周方向の少なくとも１か所に軸方向に延びる転倒防止用の突起部３２、４２を形成する。【選択図】図２
0003214984.tif 000002
【実用新案登録請求の範囲】
【請求項１】
長手方向に延びる長手軸体と、この長手軸体の一端部に形成され長手軸体が延びる方向とは異なる方向に延びる握り部を有する杖または傘に用いられる滑り止めにおいて、
前記滑り止めは、柔軟性の有底または無底の筒状に形成された筒状部を有する弾性材料製であり、前記底部には少なくとも１個の空気抜き用の貫通穴を形成したことを特徴とする滑り止め。
【請求項２】
前記滑り止めは、その一方の軸端側であって周方向の少なくとも１か所に軸方向に延びる突起が形成されていることを特徴とする請求項１に記載の滑り止め。
【請求項３】
前記滑り止めの筒状部の自然状態の径または断面積が、前記空気抜き用の貫通穴が形成された場所とは反対端側で、前記空気抜き用の貫通穴が形成された側よりも小径であるか小断面積であることを特徴とする請求項１または２に記載の滑り止め。
【請求項４】
前記滑り止めは天然ゴムまたは合成ゴムないしはそれらの組合せ製であり、そのショアＡ硬度が５５〜６５であることを特徴とする請求項１ないし３のいずれか１項に記載の滑り止め。
【請求項５】
前記滑り止めは天然ゴムまたは合成ゴムないしはそれらの組合せ製であり、その切断時伸びが２００〜３５０％であり、引張強度が１０〜１４ＭＰａである請求項１ないし４のいずれか１項に記載の滑り止め。
【請求項６】
前記滑り止めはシリコーンゴム製であり、その外表面の一部に畜光剤を含むか塗布して、暗い場所で杖または傘の位置を使用者に知らせることを可能にした請求項１ないし５のいずれか１項に記載の滑り止め。
【請求項７】
前記滑り止めは天然ゴムとエチレン・プロピレンゴムの組合せ製であり、その比率が実質的に天然ゴム約７０％で、エチレン・プロピレンゴムが約３０％であることを特徴とする請求項１ないし３のいずれか１項に記載の滑り止め。
【請求項８】
長手軸体である支柱の先端に石突きが形成され、この石突きが形成された支柱の反対端側に支柱の延びる方向とは異なる方向にＴ字状またはＬ字状に延びるグリップを有する歩行用杖において、
前記グリップに請求項３から７のいずれか１項に記載の前記滑り止めを取り付け、その際、前記滑り止めの前記小径側または前記小断面積側を、前記支柱と前記グリップの結合部側に向けて嵌合したことを特徴とする歩行用杖。
【請求項９】
長手軸に形成された中棒の先端に石突きが形成され、この石突きの近傍から展開可能に生地または小間が形成されており、前記石突きが形成された中棒の反対端側に中棒の延びる方向とは異なる方向に延びるハンドルが形成された傘において、
前記ハンドルに請求項３から７のいずれか１項に記載の前記滑り止めを取り付け、その際、前記滑り止めの前記小径側または前記小断面積側を、前記中棒から前記ハンドルへ遷る側に向けて嵌合したことを特徴とする傘。
【考案の詳細な説明】
【技術分野】
【０００１】
本考案は、滑り止めおよびそれを備えた歩行用杖および傘に係り、特に杖または傘の長手軸に対して直交するまたは曲がって形成された握り部に備えられる滑り止めおよび該握り部が形成された歩行用杖および傘に関する。
【背景技術】
【０００２】
歩行用の杖を使用する使用者は、外出時に休憩等のために室内に入ろうとするときは、使用していた杖を所定の個所に保持するようにしている。しかしながら利便性を考慮して使用者は身近にそれらを保持したいという欲求があり、その場合テーブルや壁に立てかけて保持せざるを得ない。その際初めは壁に対して立て掛けてあったとしても、他の客との接触や何らかの事情で杖が床面に転倒することもよく見られる。杖の使用者は必ずしも体力が十分ではないので、杖が転倒したままでは再度杖を使用するときに身を屈めて拾う必要があり、大変な困難さを生じている。
【０００３】
このような従来の杖使用者の不便さを改善するものとして、特許文献１には、壁などに立てかけた際に倒れない杖を提供するために、杖の持ち手部に表面が滑り止め機能を有する別体の杖用持ち手カバーを着脱自在に取り付け、該杖用持ち手カバーと壁面等との摩擦力により杖が倒れることを防止している。
【０００４】
また特許文献２では、レストラン等のテーブルあるいは机に杖を掛けておく時、杖がテーブルあるいは机から滑り落ちにくいようにするために、杖の上部の握り部のほぼ先端部に嵌めて取り付ける杖立て掛け用リングを杖が備えている。リングは弾性体、あるいは金・白金・クロムなどのメッキ加工をした金属のリング下部に弾性体を挿入したもの、または錆びない金属のリング下部に弾性体を挿入したものである。
【０００５】
さらに特許文献３には、曲線部が比較的に長い握り部を有する杖や傘であっても、取り付け可能な転倒防止具を提供するために、杖等を立て掛けたときに立て掛け対象物に当接する位置に、滑り止め作用を有するシートまたはテープを取り付けて転倒を防止している。そしてそれらのシートやテープを杖等に取り付ける際にしわや隙間を生じないよう、シートやテープは、長手方向両側面に複数の切り込みを有し輪郭が波状になっている。
【先行技術文献】
【特許文献】
【０００６】
【特許文献１】特開２００５−２３７３９３号公報
【特許文献２】特開２００６−２６２９５３号公報
【特許文献３】特開２０１０−２５９７７５号公報
【考案の概要】
【考案が解決しようとする課題】
【０００７】
上記特許文献１に記載の杖用持ち手カバーでは、杖の握り部全体に網目状のカバーを取り付けているので、テーブルの縁部を利用して杖を保持する場合や垂直な壁に杖を保持するのには好適であるが、歩行時に杖を使用する場合、カバーが使用者にとって邪魔になる恐れがある。すなわち、杖にカバーを取り付けるためにカバーを握り部の周上に重ねて保持するようにしているので、握ったときの握り具合に違和感を感じやすい。また、取り付け部の取り付けには着脱自在とするためタッチファスナーを用いているが、何らかの拍子にカバーが脱落するおそれもある。この脱落を防止するために取り付けを強固なものにすると、筋力の劣る人には杖への着脱に手間取ることになる。
【０００８】
また、上記特許文献２に記載の杖の立て掛け用リングでは、ほぼＴ字状に形成された既存の杖の握り部の一方の端部に、杖を使用しないときに立て掛けておくためのリングを取り付けているので、杖の不使用時の転倒が防止される。そしてリングを、弾性体リングあるいは金属リングの下部に弾性体を設けたリングにすることで、杖の握り部に取り付けることを可能にしている。しかしながらこの杖の立て掛け用リングでは、リングを杖に取り付けることについては十分には考慮されていない。例えば弾性体のリングであれば杖に取り付けやすさを考慮して柔軟性に富むものとすると、その取り付け位置を長期にわたり維持することが困難になり、金属リングの下部に弾性体を設ける場合には種々の形状の市販の杖にリングを取り付けるのが必ずしも容易ではない。
【０００９】
さらに、特許文献３に記載のカバーシートを接着により杖の握り部に取り付けた杖では、どのような形状の杖にも取り付けることができ、またシート材質を選択することにより転倒防止性能を確保できる。しかしながらこの公報に記載の杖でも、シート取り付け用に接着剤を使用しているので、屋外で使用されることが多い杖の接着部の経年変化によりシート位置を長期にわたり保持することが困難になる恐れがある。また、シートの形状によっては使用者に杖の把持感に違和感を感じさせる恐れもある。
【００１０】
本考案は上記従来技術の不具合に鑑みなされたものであり、その目的は、握り部が形成された杖や傘において、使用時に使用者の杖や傘の把持感を損ねることがなく、一方、不使用時にそれらを壁等へ立て掛けるのを可能にすることにある。この目的のために、摩擦力を発生する滑り止めを杖や傘へ適用するが、その際、杖や傘への滑り止めの取り付けを容易にし、かつ長期的にその位置を安定して保つようにすることも目的とする。
【課題を解決するための手段】
【００１１】
上記目的を達成する本考案の特徴は、長手方向に延びる長手軸体と、この長手軸体の一端部に形成され長手軸体が延びる方向とは異なる方向に延びる握り部を有する杖または傘に用いられる滑り止めにおいて、前記滑り止めは、柔軟性の有底または無底の筒状に形成された筒状部を有する弾性材料製であり、前記底部には少なくとも１個の空気抜き用の貫通穴を形成したことにある。
【００１２】
そしてこの特徴において、前記滑り止めは、その一方の軸端側であって周方向の少なくとも１か所に軸方向に延びる突起が形成されているのがよく、前記滑り止めの筒状部の自然状態の径または断面積が、前記空気抜き用の貫通穴が形成された場所とは反対端側で、前記空気抜き用の貫通穴が形成された側よりも小径であるか小断面積であるのがよい。また、前記滑り止めは天然ゴムまたは合成ゴムないしはそれらの組合せ製であり、そのショアＡ硬度が５５〜６５である、前記滑り止めは天然ゴムまたは合成ゴムないしはそれらの組合せ製であり、その切断時伸びが２００〜３５０％であり、引張強度が１０〜１４ＭＰａである、前記滑り止めはシリコーンゴム製であり、その外表面の一部に畜光剤を含むか塗布して、暗い場所で杖または傘の位置を使用者に知らせることを可能にした、前記滑り止めは、天然ゴムとエチレン・プロピレンゴムの組合せであり、その比率が実質的に天然ゴム約７０％で、エチレン・プロピレンゴムが約３０％である、のいずれかまたは楚の組合せであるのが好ましい。
【００１３】
上記目的を達成する本考案の他の特徴は、長手軸体である支柱の先端に石突きが形成され、この石突きが形成された支柱の反対端側に支柱の延びる方向とは異なる方向にほぼＴ字状またはＬ字状に延びるグリップを有する歩行用杖において、前記グリップに上記特徴の前記滑り止めを取り付け、その際、前記滑り止めの前記小径側または小断面積側を、前記支柱と前記グリップの結合部側に向けて嵌合することにある。
【００１４】
上記目的を達成する本考案のさらに他の特徴は、長手軸に形成された中棒の先端に石突きが形成され、この石突きの近傍から展開可能に生地または小間が形成されており、前記石突きが形成された中棒の反対端側に中棒の延びる方向とは異なる方向に延びるハンドルが形成された傘において、前記ハンドルに上記特徴の前記滑り止めを取り付け、その際、前記滑り止めの前記小径側または小断面積側を、前記中棒から前記ハンドルへ遷る側に向けて嵌合することにある。
【考案の効果】
【００１５】
本考案によれば、杖や傘の握り部の端部に、有底または無底円筒状の弾性体の滑り止めを取り付け、該滑り止めに空気抜き穴と突起を形成したので、使用時に使用者の杖や傘の把持感を損ねることがなく、一方、不使用時にそれらを壁等へ立て掛けるのが容易になる。また、滑り止めは、柔軟性を有するとともに摩擦力を発生するので、空気抜きと柔軟性により杖や傘への滑り止めの取り付けが容易になるとともに、かつ杖や傘の握り部の全周に密着するので、長期的にその位置を安定して保つことができる。特に種々の形状を有する市販の杖や傘に柔軟に延びる滑り止めを拡径して嵌合することにより、非力な老人であっても滑り止めを容易に杖や傘に取り付けることが可能になる。また、滑り止めに突起を形成しているので、不使用時に突起がテーブルの縁部等に接触する面積が増大して傘や杖の転倒に対する摩擦抵抗となり、不使用時の転倒防止効果を増進させる。
【図面の簡単な説明】
【００１６】
【図１】本考案に係る滑り止めを備えた歩行用杖の一実施例の正面図である。
【図２】図１の歩行用杖に設けた滑り止めの一実施例を示す図であり、（ａ）は斜視図、(ｂ)は縦断面図、(ｃ)は側面図である。
【図３】図２に示した滑り止めのＡ視図である。
【図４】本考案に係る滑り止めを備えた傘の実施例の正面図である。
【図５】本考案に係る滑り止めを備えた歩行用杖の握りの例である。
【図６】本考案に係る滑り止めによる転倒防止を説明する図である。
【図７】図１の歩行用杖に設けた滑り止めの他の実施例を示す図であり、（ａ）は斜視図、(ｂ)は縦断面図、(ｃ)は側面図である。
【図８】各種ゴムの特性を表す表である。
【考案を実施するための形態】
【００１７】
以下、本考案に係る長手軸体を有する物に取り付ける滑り止めのいくつかの実施例を、図面を用いて説明する。図１は、長手軸体を有する物としての歩行用杖１０を示す図であり、その正面図である。歩行用杖１０の長手軸体としての支柱１２は、一端側に地面に当接する石突き１６を有している。支柱１２の長手軸方向中央よりも握り部１４側には、図示しない使用者がこの歩行用杖１０を手首等に巻いて補助的に保持するための、ループ状に形成された補助紐１８が取り付けられている。
【００１８】
支柱１２の石突き１６とは反対端には、この歩行用杖を使用する使用者が手で握る握り部(グリップ)１４が形成されている。握り部１４は、通常一方(短柄部)１４ｂの長さが他方(長柄部)１４ａに比べて短いＴ字状に形成されており、長さが長い長柄部１４ａには本考案に係る滑り止め３０が嵌合されている。滑り止め３０の詳細を以下に詳述するが、滑り止め３０は滑り止め本体部３４と本体部３４の周方向の少なくとも１か所に形成された突起部３２を有する。
【００１９】
図２に、図１に示した歩行用杖１０に取り付ける滑り止め３０の一実施例を、斜視図(同図(ａ))、縦断面図(同図(ｂ))及び側面図(同図(ｃ))で示す。滑り止め３０は、ほぼ円筒形状をしており、その軸方向一端側に底部３７を有する有底円筒形である。
【００２０】
滑り止め３０の軸方向他端部には、開口３８が形成されており、この開口３８が形成された側は小径部３６を形成している。即ち、小径部３６から軸方向に底部３７に向かうにつれ滑り止め３０の内径は拡大し（あるいは、ステップ状に突然内径が拡大しても良い）、所定距離(小径部長さ)Ｌ２を超えると、その径がほぼ一定となる大径部が形成された滑り止め本体部３４になっている。
【００２１】
底部３７のほぼ中心には、本考案の滑り止め３０を歩行用杖１０に嵌挿する際に、歩行用杖１０の握り部１４、特に長柄部１４ａと滑り止め３０の内部の間にある空気を外部に逃すための空気抜き穴５０が形成されている。
【００２２】
なお、本実施例では滑り止め３０が有底円柱状であるので空気抜き穴５０を設けているが、滑り止め３０が無底円柱状の場合には滑り止め３０の小径部３６の開口３８とは反対側の大径部の開口が、空気抜き穴５０の作用を実質的に行う。さらに、本体部３４の外周部であって、底部３７側の端部から小径部３６の方向へ、軸方向に延びる突起部３２が形成されている。
【００２３】
突起部３２の長さは後述する滑り防止に寄与できる長さであり、底部３７側端面から突起部３２の全長Ｌ３だけ延びている。突起部３２は、本体部３４の外径から半径方向に高さＨ１だけ突出している。突起部３２の形状はどのような形状でも可能であるが、製作性や相手部材に接触した時の耐摩耗性及び使用者の違和感の低減の観点から、本実施例では部分円柱形としている。
【００２４】
また、突起部３２の周方向個数は少なくとも１個あればよく、２個以上であっても構わない。なお、突起部３２を複数個設ける場合には、歩行用杖１０に滑り止め３０を嵌挿したときに下側になる部分に設ければ、歩行用杖１０のテーブル等への立て掛け時に歩行用杖１０の転倒をより効果的に防止できる。
【００２５】
ところで歩行用杖１０の握り部１４は、意匠性および手との密着性の要求から中心軸線が真っすぐな円柱形や角柱形ではなく、中心軸線が手に合わせた曲線形状になっている場合がほとんどである。そのため、握り部１４への嵌合時には滑り止め３０を手で拡径できることが必要であり、また握り部１４に嵌合した後には縮径して握り部１４に密着する必要がある。そこで、本考案ではゴムを基材とした材料を滑り止め３０に用いている。図８に各種ゴムの特性を表す表を示す。
【００２６】
図８から分かるように、天然ゴムまたは合成天然ゴムは、破断までの伸びや引張強度等の機械的性質に優れており、基本材料として好適である。しかしながら天然ゴムだけでは、耐オゾン性や耐老化性等の点で他のゴムに比較して劣っているので、これらの性質は他の合成ゴムの特性で補う。即ち、エチレン・プロピレンゴムを天然ゴムに混合することにより、機械的性質が優れるとともに、耐候性にも富み、戸外で使用されることが多い歩行用杖１０の経年劣化を防止できる。
【００２７】
または同様の特性を持ち製作性に富む、シリコーンゴムを使用する。例えば滑り止め３０に使用するゴムが、ショアＡ硬度が５５〜６５程度、引張強度が１０〜１４ＭＰａ程度、伸びが２００〜３５０％程度の合成ゴムであれば、実用的に好ましい特性を有していると言える。
【００２８】
そこで本実施例では、手触りが良く耐候性に優れたシリコーンゴムを滑り止め３０に用いている。本実施例のシリコーンゴムは、ショアＡ硬度が５０〜７０、引張強度が約１２ＭＰａ、伸びが３００％程度である。
【００２９】
さらに、滑り止めの外周部の一部には、畜光剤を含めるか塗布するかして、暗い場所に杖または傘を置いたときに畜光剤が発光して使用者にその位置を知らせることを可能にしている。
【００３０】
または、天然ゴムを約７０％、エチレン・プロピレンゴムを約３０％混合し、ショアＡ硬度が５５〜６５、引張強度が約１２ＭＰａ、伸びが３００％程度となるゴムを、滑り止め３０に用いてもよい。なお意匠性を考慮して僅かの顔料もゴムに含め、濃紅（ワインレッド）、オレンジ、濃緑、濃青等のダークカラーに形成することもできる。その場合、含有する顔料は少量であるから、上記各特性を損なうことはない。
【００３１】
上記シリコーンゴムまたは天然ゴム、エチレン・プロピレンゴム、顔料からなるゴムを用いた滑り止め３０の具体的大きさの例は、以下のとおりである。小径部径Ｄ１はφ１４ｍｍであり、大径部径φＤ２は１５ｍｍである。
【００３２】
小径部長さＬ２は、開口３８から大径部である本体部３４の境界までの長さであり、径が増大する部分も含めて１０ｍｍである。滑り止め３０の全長Ｌ１は５０ｍｍであり、この長さにより使用時に使用者の指が触れることによる不快感を回避または低減している。滑り止め３０の肉厚ｔは２ｍｍである。なお滑り止め３０のこれらの値は、応力が加えられていない自然状態での値である。
【００３３】
滑り止め３０のゴムの伸び率が３００％及び引張強度が１２ＭＰａであることを考慮すると、筋力に劣る歩行用杖１０の使用者であっても、滑り止め３０を拡径して歩行用杖１０の握り部１４の長柄部１４ａに端部から容易に滑り止め３０を嵌め込むことができる。
【００３４】
その際、直径φｄが２．５ｍｍの空気抜き穴５０が滑り止め３０に設けられているので、長柄部１４ａと滑り止め３０の間の空気が外部へ抜ける通路を形成できるので、滑り止め３０を途中で押し込めなくなるなどの不具合が生じる恐れがない。
【００３５】
また、滑り止め３０の開口３８側を本体部３４よりも小径にしているので、一旦拡径して滑り止め３０を長柄部１４ａに取り付けた後は開口３８側できつく締まり、経年変化による開口３８側のダレによりラッパ状に広がるのを防止できるとともに、滑り止め３０が長柄部１４ａから抜け出るのを防止している。
【００３６】
滑り止め３０を歩行用杖１０に取り付けたときに最外側になる滑り止め３０の底部３７から軸方向に延びる突起は、断面近似円形である。その大きさは、滑り止め３０の外径方向の高さＨ１が２ｍｍであり、幅Ｗ１が３ｍｍ、軸方向長さである突起部全長Ｌ３が１０ｍｍである。なお突起部３２の断面形状は、突起部３２の軸長が短く使用者との接触の恐れがないもしくは少ないのであれば、相手部材との接触面積を増やして摩擦力を増すために矩形状等の他の形状であってもよい。
【００３７】
次に、図３により滑り止め３０の開口３８の形状を、図２のＡ視図で示す。同図(ａ)は、自然状態で円形の場合であり、同図(ｂ)は自然状態で矩形の場合である。歩行用杖１０の握り部１４は、その軸方向には曲がった柱状であり、断面形状は多くの場合円形よりも丸み(Ｒ)がついた矩形状になっている。
【００３８】
したがって、滑り止め３０の例えば小断面積部３６bを矩形にして滑り止め３０全体を矩形にすれば、握り部１４の長柄部１４ａに嵌挿した後に密着度が増すことが期待される。一方滑り止め３０の例えば小径部３６ａを円形にすることにより、種々の大きさにも容易に対応できるし、長柄部１４ａの種々の断面形状にも対応可能である。したがって、これらはケースバイケースで使い分けるのが好ましい
【００３９】
図４に長手軸体を有する物として、折り畳み式ではない蝙蝠傘２０の例を示す。図４は傘２０の正面図である。傘２０は、長手軸体としての中棒(シャフト)２２の一端側に石突き２６が形成されており、他端部にＵ字状に折れ曲がった形状の手元(ハンドル)２４が形成されている。
【００４０】
石突き２６の内側には図示しない親骨や受け骨等から構成される骨組み構造が設けられており、この骨組み構造には小間(カバー)または生地２８と呼ばれる撥水性等の布地等が取り付けられている。カバー２８には、バンド２７が取り付けられており、傘２０の不使用時に傘２０の広がりを防止する。
【００４１】
手元２４の先端部には、滑り止め４０が取り付けられている。滑り止め４０は滑り止め本体部４４および突起部４２を有する。滑り止め４０の具体的形状は、図２、３に示したものと同様であり、それらにおいて３０番台の符号を４０番台に置き換えることで、本実施例の滑り止め４０は実現される。
【００４２】
なお本実施例では手元２４の形状をＵ字状としているが、Ｌ字状の場合にも本考案の滑り止め４０を使用でき、その場合上記歩行用杖１０とほぼ同様の作用・効果を生じる。また、傘２０では歩行用杖１０の場合と異なり使用者の把持位置が中棒２２側に寄るので、滑り止め４０を手元２４に取り付けても使用者に不快感を生じさせる恐れは少ない。
【００４３】
次に図５及び図６を用いて、長手軸体を有する物に本考案の滑り止め３０、４０を適用した場合の動作を説明する。図５は、歩行用杖を使用する場合の手首部６０近傍の状態を示す図である。同図(ａ)、（ｂ）ともに、推奨される歩行用杖１０の握り方を示す図であり、図５(ａ)は人差し指６２を親指６１の方に丸めて短柄部１４ｂ側に配置し、中指６３、薬指６４、小指６５をまとめて長柄部１４ａ側に配置して手のひら６６に合わせるようにした場合である。
【００４４】
この場合、本考案に係る滑り止め３０は、小指６５にわずかに接触するかしないか程度に長柄部１４ａに嵌挿されているので、歩行用杖１０を用いた歩行の妨げにはならず使用者に不快感を起こさせる恐れが少ない。
【００４５】
同様に図５(ｂ)は、使用者の親指６１と人差し指６２を握り部１４の上方から支柱１２に沿って下側に延ばし、中指６３、薬指６４、小指６５は図５(ａ)の実施例と同様に長柄部１４ａに配置したものである。この場合も、滑り止め３０は、小指６５にわずかに接触するかしないか程度に長柄部１４ａに嵌挿されているので、歩行用杖１０を用いた歩行の妨げにはならず、使用者に不快感を起こさせる恐れは少ない。
【００４６】
図６は、長手軸体を有する物が歩行用杖１０の場合(同図(ａ)、(ｃ))と蝙蝠傘２０の場合（同図（ｂ）、（ｄ））を示した図である。長手軸体を有する物を保持する方法は、同図(ａ)、(ｂ)では壁面７２に立て掛ける場合であり、同図(ｃ)、(ｄ)ではテーブル７６の縁に置く場合である。
【００４７】
２つの壁面７２、７４を有する部屋の片隅であって一方の壁面７２に歩行用杖１０や傘２０を立て掛ける場合、それぞれの石突き１６、２６を床面７０に当接させ、僅かな角度だけ垂直方向から傾け、握り部１４または手元２４が壁面７２にほぼ平行になるようにして壁面７２に当接させる。この場合、握り部１４または手元２４に嵌挿した滑り止め３０、４０と壁面７２の間で摩擦を生じるので、歩行用杖１０や傘２０の床面７０への転倒を防止できる。逆に言えば、滑り止め３０、４０を構成するゴムは、これら歩行用杖１０や傘２０の転倒モーメントに対抗できる摩擦力を生む材料から選ばれる。
【００４８】
同様に、テーブル７６の縁に握り部１４の内側及び手元２４の下面を当接させると、突起部３２、４２がそれぞれテーブル７６の上面に当接し、テーブル７６と突起部３２、４２との間の摩擦力により歩行用杖１０や傘２０の転倒が防止される。テーブル７６の場合、歩行用杖１０や傘２０の石突き１６、２６は床面７０に当接しない場合もあるので、突起部３２、４２が発生する摩擦力はより重要となる。
【００４９】
傘２０の手元２４がＵ字状の場合、テーブル７６への当接が手元２４のＵ字に曲がった端面でしか確保できない。そこで、突起部４２を回動可能に本体部４４に設ければ、摩擦力を増大させてより転倒防止を実現できる。なお、手元２４の形状がＬ字状であれば当接面は手元２４の内側にあり、歩行用杖１０の場合と同様の効果があるから、突起部４２は本体部４４に一体化したものであって良い。
【００５０】
以上説明した実施例によれば、容易に着脱可能なゴム製の滑り止めを、長手軸体を有する歩行用杖や傘に用いているので、特別な係止具や保管用具のない場所においても、歩行用杖や傘の転倒を防止できる。したがって、歩行用杖や傘が転倒して使用者が体を折り曲げて拾い上げるという動作が不要となり、筋力の劣る人たちであっても容易に歩行用杖や傘を身近に保管できる。
【００５１】
図７に本発明に係る滑り止め３０ｃの他の実施例を示す。図７は、図２と同様の図であり、図７（ａ）は滑り止め３０ｃの斜視図、図７（ｂ）はその縦断面図、図７（ｃ）はその左側面図である。図７に示した滑り止め３０ｃが図２に示した実施例と異なるのは、図７に示した滑り止め３０ｃがほぼ均一肉厚の円柱状の小径部３６ｃを有することであり、その他の部分は図２に示したものと同様である。
【００５２】
均一肉厚の小径部３６ｃを有することにより、滑り止め３０ｃの外形形状は段差部を有する。この段差部は使用者の手の配置のガイドとして使用可能である。すなわち、使用者の小指６５を段差部に配することにより、使用者の手から杖または傘が意図せずに滑り落ちることを防止可能である。
【００５３】
なお、小径部３６ｃの内側にも段差部が形成されるが、小径部３６ｃを杖または傘に装着する場合は小径部３６ｃを拡張させて小径部３６ｃを案内として杖または傘に装着し、装着後は小径部３６ｃを収縮戻りさせることで、小径部３６ｃと杖または傘間に雨等が入り込むのを防止する。したがってこの点では上記図２に記載の小径部３６と同様の作用・効果を奏する。
【符号の説明】
【００５４】
１０…歩行用杖、１２…支柱、１４…握り部(グリップ)、１４ａ…長柄部、１４ｂ…短柄部、１６…石突き、１８…補助紐、２０…（蝙蝠）傘、２２…中棒(シャフト)、２４…手元(ハンドル)、２６…石突き、２７…バンド、２８…小間(カバー)、３０、３０ｃ…滑り止め、３２…突起部、３４…(滑り止め)本体部、３６、３６ａ…小径部、３６ｂ…小断面積部、３６ｃ…小径部、３７…底部、３８…開口、４０…滑り止め、４２…突起部、４４…（滑り止め）本体部、５０…（空気抜き）穴、６０…手首部、６１…親指、６２…人差し指、６３…中指、６４…薬指、６５…小指、６６…手のひら、７０…床(面)、７２、７４…壁面、７６…テーブル、ｄ…空気抜き穴径、Ｄ１…小径部径、Ｄ２…大径部径、Ｈ１…突起高さ、Ｌ１…滑り止め全長、Ｌ２…小径部長さ、Ｌ３…突起部全長、ｔ…肉厚、Ｗ１…突起部幅
【図１】
0003214984.tif 000003
【図２】
0003214984.tif 000004
【図３】
0003214984.tif 000005
【図４】
0003214984.tif 000006
【図５】
0003214984.tif 000007
【図６】
0003214984.tif 000008
【図７】
0003214984.tif 000009
【図８】
0003214984.tif 000010
【手続補正書】
【提出日】平成29年12月13日(2017.12.13)
【手続補正１】
【補正対象書類名】実用新案登録請求の範囲
【補正対象項目名】全文
【補正方法】変更
【補正の内容】
【実用新案登録請求の範囲】
【請求項１】
長手方向に延びる長手軸体と、この長手軸体の一端部に形成され長手軸体が延びる方向とは異なる方向に延びる握り部を有する杖または傘に用いられる滑り止めにおいて、
前記滑り止めは、柔軟性の有底または無底の筒状に形成された筒状部を有する弾性材料製であり、
前記筒状部が有底の場合は、その底部には少なくとも１個の空気抜き用の貫通穴が形成され、
前記筒状部が無底の場合は、前記無底の部分が空気抜きの穴となることを特徴とする滑り止め。
【請求項２】
前記滑り止めは、その一方の軸端側であって周方向の少なくとも１か所に軸方向に延びる突起が形成されていることを特徴とする請求項１に記載の滑り止め。
【請求項３】
前記滑り止めの筒状部の自然状態の径または断面積が、前記空気抜き用の貫通穴が形成された場所とは反対端側で、前記空気抜き用の貫通穴が形成された側よりも小径であるか小断面積であることを特徴とする請求項１または２に記載の滑り止め。
【請求項４】
前記滑り止めは天然ゴムまたは合成ゴムないしはそれらの組合せ製であり、そのショアＡ硬度が５５〜６５であることを特徴とする請求項１ないし３のいずれか１項に記載の滑り止め。
【請求項５】
前記滑り止めは天然ゴムまたは合成ゴムないしはそれらの組合せ製であり、その切断時伸びが２００〜３５０％であり、引張強度が１０〜１４ＭＰａである請求項１ないし４のいずれか１項に記載の滑り止め。
【請求項６】
前記滑り止めはシリコーンゴム製であり、その外表面の一部に畜光剤を含むか塗布して、暗い場所で杖または傘の位置を使用者に知らせることを可能にした請求項１ないし５のいずれか１項に記載の滑り止め。
【請求項７】
前記滑り止めは天然ゴムとエチレン・プロピレンゴムの組合せ製であり、その比率が実質的に天然ゴム約７０％で、エチレン・プロピレンゴムが約３０％であることを特徴とする請求項１ないし３のいずれか１項に記載の滑り止め。
【請求項８】
長手軸体である支柱の先端に石突きが形成され、この石突きが形成された支柱の反対端側に支柱の延びる方向とは異なる方向にＴ字状またはＬ字状に延びるグリップを有する歩行用杖において、
前記グリップに請求項３に記載の前記滑り止めを取り付け、その際、前記滑り止めの前記小径側または前記小断面積側を、前記支柱と前記グリップの結合部側に向けて嵌合したことを特徴とする歩行用杖。
【請求項９】
長手軸に形成された中棒の先端に石突きが形成され、この石突きの近傍から展開可能に生地または小間が形成されており、前記石突きが形成された中棒の反対端側に中棒の延びる方向とは異なる方向に延びるハンドルが形成された傘において、
前記ハンドルに請求項３に記載の前記滑り止めを取り付け、その際、前記滑り止めの前記小径側または前記小断面積側を、前記中棒から前記ハンドルへ遷る側に向けて嵌合したことを特徴とする傘。
【手続補正２】
【補正対象書類名】明細書
【補正対象項目名】００１１
【補正方法】変更
【補正の内容】
【００１１】
上記目的を達成する本考案の特徴は、長手方向に延びる長手軸体と、この長手軸体の一端部に形成され長手軸体が延びる方向とは異なる方向に延びる握り部を有する杖または傘に用いられる滑り止めにおいて、前記滑り止めは、柔軟性の有底または無底の筒状に形成された筒状部を有する弾性材料製であり、前記筒状部が有底の場合は、その底部には少なくとも１個の空気抜き用の貫通穴が形成され、前記筒状部が無底の場合は、前記無底の部分が空気抜きの穴となることにある。